【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
車両（Ｖ）のウィンドシールド（Ｖ１）を介して乗員に映像を視認させるウィンドシールド表示装置であって、
前記ウィンドシールドに重ねて配置される透明スクリーン（３）と、
前記透明スクリーンに映像光を投写するプロジェクター（１、２）と、を備え、
前記プロジェクターは、前記車両の車室内のうち前記車両の車幅方向における前記ウィンドシールドの端部に隣接する端部隣接部に配置されると共に、前記ウィンドシールドの前記車幅方向における所定以上の領域に前記映像光を投写し、
前記透明スクリーンは、前記車両の外部からの外光を車室内に透過させると共に、前記映像光を、前記車両の運転席に着座する第１乗員（Ｃ１）のアイボックス（４）もしくは助手席に着座する第２乗員（Ｃ２）のアイボックス（５）または前記第１乗員および前記第２乗員の両方のアイボックスに反射する構成とされており、
前記プロジェクターは、前記第１乗員に前記映像を視認させるために用いられる第１プロジェクター（１）であり、
前記車幅方向のうち前記運転席から前記助手席に向かう方向を第１方向として、
前記第１プロジェクターは、前記ウィンドシールドの前記第１方向における端部に隣接する前記端部隣接部に配置されており、
前記透明スクリーンは、前記プロジェクターからの前記映像光を前記第１乗員のアイボックスに反射する第１反射部（３ａ）と、前記第１反射部とは異なる部分であって、前記映像光を前記第２乗員のアイボックスに反射する第２反射部（３ｂ）とを有してなる１枚の光学フィルムである、ウィンドシールド表示装置。
【請求項２】
車両（Ｖ）のウィンドシールド（Ｖ１）を介して乗員に映像を視認させるウィンドシールド表示装置であって、
前記ウィンドシールドに重ねて配置される透明スクリーン（３）と、
前記透明スクリーンに映像光を投写するプロジェクター（１、２）と、を備え、
前記プロジェクターは、前記車両の車室内のうち前記車両の車幅方向における前記ウィンドシールドの端部に隣接する端部隣接部に配置されると共に、前記ウィンドシールドの前記車幅方向における所定以上の領域に前記映像光を投写し、
前記透明スクリーンは、前記車両の外部からの外光を車室内に透過させると共に、前記映像光を、前記車両の運転席に着座する第１乗員（Ｃ１）のアイボックス（４）もしくは助手席に着座する第２乗員（Ｃ２）のアイボックス（５）または前記第１乗員および前記第２乗員の両方のアイボックスに反射する構成とされており、
前記プロジェクターは、前記第２乗員に前記映像を視認させるために用いられる第２プロジェクター（２）であり、
前記車幅方向のうち前記運転席から前記助手席に向かう方向を第１方向とし、前記第１方向の反対方向を第２方向として、
前記第２プロジェクターは、前記ウィンドシールドの前記第２方向における端部に隣接する前記端部隣接部に配置されている、ウィンドシールド表示装置。
【請求項３】
前記透明スクリーンは、前記プロジェクターからの前記映像光を前記第１乗員のアイボックスに反射する第１反射部（３ａ）と、前記第１反射部とは異なる部分であって、前記映像光を前記第２乗員のアイボックスに反射する第２反射部（３ｂ）とを有してなる１枚の光学フィルムである、請求項２に記載のウィンドシールド表示装置。
【請求項４】
車両（Ｖ）のウィンドシールド（Ｖ１）を介して乗員に映像を視認させるウィンドシールド表示装置であって、
前記ウィンドシールドに重ねて配置される透明スクリーン（３）と、
前記透明スクリーンに映像光を投写するプロジェクター（１、２）と、を備え、
前記プロジェクターは、前記車両の車室内のうち前記車両の車幅方向における前記ウィンドシールドの端部に隣接する端部隣接部に配置されると共に、前記ウィンドシールドの前記車幅方向における所定以上の領域に前記映像光を投写し、
前記透明スクリーンは、前記車両の外部からの外光を車室内に透過させると共に、前記映像光を、前記車両の運転席に着座する第１乗員（Ｃ１）のアイボックス（４）もしくは助手席に着座する第２乗員（Ｃ２）のアイボックス（５）または前記第１乗員および前記第２乗員の両方のアイボックスに反射する構成とされており、
前記プロジェクターは、前記映像光を前記第１乗員に視認させるために用いられる第１プロジェクター（１）と、前記映像光を前記第２乗員に視認させるために用いられる第２プロジェクター（２）とを有してなり、
前記車幅方向のうち前記運転席から前記助手席に向かう方向を第１方向とし、前記第１方向の反対方向を第２方向として、
前記第１プロジェクターは、前記ウィンドシールドの前記第１方向における端部に隣接する前記端部隣接部に配置されており、
前記第２プロジェクターは、前記ウィンドシールドの前記第２方向における端部に隣接する前記端部隣接部に配置されている、ウィンドシールド表示装置。
【請求項５】
前記透明スクリーンは、前記ウィンドシールドの一部の領域に重ねて配置されている、請求項１ないし４のいずれか１つに記載のウィンドシールド表示装置。
【請求項６】
前記透明スクリーンは、前記ウィンドシールドの全域に重ねて配置されている、請求項１ないし４のいずれか１つに記載のウィンドシールド表示装置。
【請求項７】
前記透明スクリーンは、前記第１プロジェクターの映像光を前記第１乗員のアイボックスに反射する第１スクリーン（３１）と、前記第２プロジェクターの映像光を前記第２乗員のアイボックスに反射する第２スクリーン（３２）との２枚の光学フィルムにより構成されており、
前記第１スクリーンは、前記第２スクリーンとは異なる位置に配置されている、請求項４に記載のウィンドシールド表示装置。
【請求項８】
前記端部隣接部は、前記車両のダッシュボードの一部である、請求項１ないし７のいずれか１つに記載のウィンドシールド表示装置。
【請求項９】
前記端部隣接部は、前記車両のうち前記ウィンドシールドに隣接するピラーである、請求項１ないし７のいずれか１つに記載のウィンドシールド表示装置。
【手続補正２】
【補正対象書類名】明細書
【補正対象項目名】０００９
【補正方法】変更
【補正の内容】
【０００９】
上記目的を達成するため、請求項１に記載のウィンドシールド表示装置は、車両（Ｖ）のウィンドシールド（Ｖ１）を介して乗員に映像を視認させるウィンドシールド表示装置であって、ウィンドシールドに重ねて配置される透明スクリーン（３）と、透明スクリーンに映像光を投写するプロジェクター（１、２）と、を備え、プロジェクターは、車両の車室内のうち車両の車幅方向におけるウィンドシールドの端部に隣接する端部隣接部に配置されると共に、ウィンドシールドの車幅方向における所定以上の領域に映像光を投写し、透明スクリーンは、車両の外部からの外光を車室内に透過させると共に、映像光を、車両の運転席に着座する第１乗員（Ｃ１）のアイボックス（４）もしくは助手席に着座する第２乗員（Ｃ２）のアイボックス（５）またはその両方に反射する構成とされており、プロジェクターは、第１乗員に映像を視認させるために用いられる第１プロジェクター（１）であり、車幅方向のうち運転席から助手席に向かう方向を第１方向として、第１プロジェクターは、ウィンドシールドの第１方向における端部に隣接する端部隣接部に配置されており、透明スクリーンは、プロジェクターからの映像光を第１乗員のアイボックスに反射する第１反射部（３ａ）と、第１反射部とは異なる部分であって、映像光を第２乗員のアイボックスに反射する第２反射部（３ｂ）とを有してなる１枚の光学フィルムである。